(57)【特許請求の範囲】
【請求項１】
睫毛及び／又は眉毛に物質（6）を塗布するためのアプリケータであって、
少なくとも一部分に亘って、該部分の軸方向の第１の端部から第２の端部まで延びる少なくとも１つの螺旋形状の溝（134；334-534；934）が形成されたコア（126；326-526；926）を備え、
上記コアは、上記溝の外部において計測された横断寸法（Da）が上記コアの軸方向（24）において上記部分に沿って変化するように構成されている
ことを特徴とするアプリケータ。
【請求項２】
上記部分に設けられた複数の突起（50）を備えている、
請求項１に記載のアプリケータ。
【請求項３】
上記溝（134-734）は、上記コアの縦軸（24）を含む子午面において計測された最大寸法が、上記アプリケータの自由端に向かって上記部分に沿って進むにつれて変化する断面、より好ましくは上記アプリケータの自由端に向かって上記部分に沿って進むにつれて減少する断面を有している、
請求項１又は２に記載のアプリケータ。
【請求項４】
睫毛及び／又は眉毛に物質（6）を塗布するためのアプリケータであって、
少なくとも一部分に亘って、該部分の軸方向の第１の端部から第２の端部まで延びる少なくとも１つの溝（134-1034）が形成されたコア（126-1026）と、
上記溝の外部に設けられた複数の突起（50）とを備え、
場合によっては上記溝の内部に設けられた複数の突起（50）を備え、
上記複数の突起は、上記コアと一体形成され、該コアの縦軸まわりの回転面を構成する包絡面を形成する自由端を有し、
上記溝は、上記コアの縦軸（24）を含む子午面において計測された最大寸法が、上記アプリケータの自由端に向かって上記部分に沿って進むにつれて変化する断面、より好ましくは上記アプリケータの自由端に向かって上記部分に沿って進むにつれて減少する断面を有している
ことを特徴とするアプリケータ。
【請求項５】
上記溝は螺旋形状である、
請求項４に記載のアプリケータ。
【請求項６】
上記溝は、上記コアの少なくとも１つの部分に沿って、該部分の軸方向の第１の端部から第２の端部まで延び、
上記部分の上記溝の外部に設けられた複数の突起（50）を有している、
請求項１乃至５のいずれか１つに記載のアプリケータ。
【請求項７】
上記溝（134）は、上記アプリケータの縦軸（24）まわりに１周より長く、さらに言えば２周より長く延びている、
請求項１乃至６のいずれか１つに記載のアプリケータ。
【請求項８】
上記溝（134）は、Ｖ字形状、より好ましくは非対称なＶ字形状の断面を有している、
請求項１乃至７のいずれか１つに記載のアプリケータ。
【請求項９】
上記溝（134）は、１つの溝によって構成されている、
請求項１乃至８のいずれか１つに記載のアプリケータ。
【請求項１０】
上記コアには、多数の溝が形成されている、
請求項１乃至８のいずれか１つに記載のアプリケータ。
【請求項１１】
上記部分の横断寸法（Da）は、上記アプリケータの自由端に向かって上記部分に沿って進むにつれて減少する、
請求項１，２及び６のいずれか１つに記載のアプリケータ。
【請求項１２】
複数の突起（50）が可能な限り備え付けられたインレットのコーンを有している、
請求項１乃至１１のいずれか１つに記載のアプリケータ。
【請求項１３】
上記コアの軸方向に平行な少なくとも１つの直線形状の列、及び／又は１つの螺旋形状の列を形成する複数の突起（50）を備えている、
請求項１乃至１２のいずれか１つに記載のアプリケータ。
【請求項１４】
上記複数の突起の自由端（52）間において計測された上記アプリケータの少なくとも１つの横断寸法が、上記コアの軸方向（24）に関して、上記アプリケータの少なくとも一部分に沿って一定となるように配列された複数の突起（50）を備えている、
請求項１乃至１３のいずれか１つに記載のアプリケータ。
【請求項１５】
睫毛及び／又は眉毛に物質（6）を塗布するための組立品（2）であって、
物質の貯留器（4）と、
請求項１乃至１４のいずれか１つに記載のアプリケータ（12）とを備えている
ことを特徴とする組立品。
【発明の詳細な説明】
【技術分野】
【０００１】
本発明は、睫毛及び／又は眉毛に物質（例えば、マスカラ）を塗布するためのアプリケータに関するものである。
【背景技術】
【０００２】
睫毛及び／又は眉毛に物質を塗布するためのアプリケータは、長年に亘って様々な形状や形態で提案されてきたが、十分な満足感を与えるに至っていない。そのため、上記アプリケータが多くの機能をできる限り満足に発揮することが望まれている。第１の機能は、延長機能である。言い換えると、一旦睫毛に化粧が施されると、睫毛は比較的長くなったという印象を与えることができる。第２の機能は、ボリューム付与機能である。該ボリューム付与機能は、上記物質を塗布することによって、剥き出し状態の睫毛のボリュームよりも大きい外見上のボリュームを睫毛に与えることが可能である。第３の機能は、睫毛を可能な限り湾曲させる湾曲機能である。第４の機能は、分離機能である。該分離機能は、睫毛が固まることなく互いに分離された状態で化粧されることが必要とされる。アプリケータは、手作業の回数を最小限にしつつ、即ち、同じ睫毛におけるアプリケータの一連の通過回数を最小限に低減しつつ、優れた化粧効果を得られることも要求される。また、アプリケータは、使用者に高度な器用さを求めることなく、使用が容易であることが好ましい。最後に、アプリケータは、製作容易であることが望ましい。
【０００３】
例えば、米国特許出願公開第４４０３６２４号公報には、プラスチック材で形成され、同様にプラスチック材で形成された複数の突起を有するコアを備えたマスカラ用のアプリケータが開示されている。
【発明の概要】
【発明が解決しようとする課題】
【０００４】
しかしながら、上記アプリケータでは、先細り形状のコアが化粧剤で満たされてしまうため、満足な結果が得られなかった。
【０００５】
本発明の目的はこのように、容易で且つ手間が不要な動作によって化粧剤を塗布することに関して満足な結果が得られ、且つ製作容易であるアプリケータを提供することにある。
【課題を解決するための手段】
【０００６】
本発明は、上記課題に対し、いくつかの解決手段を提供するものである。
【０００７】
上記目的を達成するために、本発明は、睫毛及び／又は眉毛に物質を塗布するためのアプリケータであって、少なくとも一部分に亘って、該部分の軸方向の第１の端部から第２の端部まで延びる少なくとも１つの螺旋形状の溝が形成されたコアを備え、該コアが、上記溝の外部において計測された横断寸法が上記コアの軸方向において上記部分に沿って進むにつれて変化するように構成されているアプリケータを提供するものである。
【０００８】
上記アプリケータは、上記コアと一体的に構成され、及び／又は上記部分に設けられた複数の突起を備えていることが好ましい。そして、該突起は、上記溝の外部に設けられていてもよい。
【０００９】
本発明は、睫毛及び／又は眉毛に物質を塗布するためのアプリケータであって、少なくとも１つの溝が形成されたコアと、上記溝の外部に設けられた複数の突起とを備え、場合によっては上記溝の内部に設けられた複数の突起を備え、上記複数の突起が、上記コアと一体形成されると共に、上記コアの縦軸まわりの回転面を構成する包絡面を形成する自由端を有するアプリケータを提供するものである。
【００１０】
上記溝は、螺旋形状であることが好ましい。
【００１１】
上記溝は、上記コアの少なくとも１つの部分に沿って、該部分の軸方向の第１の端部から第２の端部まで延び、上記部分の上記溝の外部に設けられた複数の突起を有していることが好ましい。
【００１２】
最後に、本発明は、睫毛及び／又は眉毛に物質を塗布するためのアプリケータであって、少なくとも一部分に亘って、該部分の軸方向の第１の端部から第２の端部まで延びる少なくとも１つの溝が形成されたコアと、上記部分と一体形成されて該部分の上記溝の外部に設けられた複数の突起とを備えたアプリケータを提供するものである。
【００１３】
このように、これらのアプリケータの各々において、上記溝は塗布用の物質を収容するための領域を構成する。この領域は、アプリケータが貯留器内にある際に物質で満たされ、その内容物を空にしてしまうことなく貯留器から取り出される。上記貯留器の首部がワイパを含む場合、該ワイパは上記溝の内部までは拭き取らない。これにより、その収容機能が維持される。上記貯留器から引き上げる際にアプリケータが物質で満たされる範囲の調整、及びアプリケータまわりにおける物質の積載量（load）の配分の調整は、上記溝の形状、寸法及び配列に応じて行うことができる。上記化粧剤を塗布するうちに、上記溝の中身は、特に上記溝内に進入した睫毛のために、徐々に空になっていく。このようにして、使用者が貯留器内にアプリケータをしばしば戻し入れて中身を補充することなしに、睫毛は物質によって好適に覆われることとなる。上記溝は、奏される化粧効果を向上させることができる。化粧剤は、簡単に且つ手早く実行される手作業によって塗布される。また、上記溝の形成は、上記アプリケータの製作を著しく複雑化するものではない。
【００１４】
さらに、本発明に係る上記第１のアプリケータによれば、一様でない断面を有するコアに形成された螺旋形状の溝は、積載量がアプリケータの軸方向長さに沿って及び／又は縦軸まわりに一様でないことが確実であるにもかかわらず、上記アプリケータの軸方向長さの少なくとも一部分に亘って物質の積載量を分散させることができる。その結果、アプリケータの一部分は、他の部分よりも物質の積載量が大きくなる。（物質が）不均一に積載されたアプリケータが特定の使用者によって実行される手作業に特に適していることがわかる。
【００１５】
本発明に係る第２のアプリケータによれば、上記複数の突起は、上記物質の塗布を改善することができる。このアプリケータを用いると、物質は、上記溝から上記突起部へと次第に移り、該突起部から睫毛へと移る。上記複数の突起は、睫毛（又は眉毛）のボリュームを増大させ、分離させ、湾曲させ、延長させつつ、アプリケータから物質を取り除くことに寄与する。
【００１６】
同じことが本発明に係る第３のアプリケータにも当てはまる。該第３の発明に係るアプリケータは、上記複数の突起が上記コアと一体に形成されるため、製作が著しく容易になるという効果が得られる。
【００１７】
上記溝を直線形状にすることも可能である。
【００１８】
上記溝は、上記コアに上記溝と係合しない少なくとも１つの領域を残すように構成されていることが好ましい。
【００１９】
この領域は、顕著な湾曲効果が得られるように、塗布中に睫毛を上記コアに押し付けることを可能にする。
【００２０】
上記溝は、上記アプリケータの縦軸まわりに１周より長く、さらに言えば２周より長く延びていることが好ましい。
【００２１】
このように、睫毛は、上記アプリケータの縦軸の全周において、あるいは上記アプリケータの軸方向の大部分において、上記溝に接触する。これにより、上記溝内への睫毛の進入、及び該溝が収容する物質の睫毛への塗布が促進される。
【００２２】
上記溝は、Ｖ字形状、より好ましくは非対称なＶ字形状の断面を呈していることが好ましい。
【００２３】
このような断面により、睫毛が物質を受け取るために押圧可能な２つの傾斜面が提供される。
【００２４】
上記溝は、上記コアの縦軸を含む子午面内において計測された最大寸法が変化する、より好ましくは上記アプリケータの自由端に向かって上記部分に沿って進むにつれて減少するような断面を有している。
【００２５】
この特性によっても、上記アプリケータに沿う上記溝内にある物質の積載量を調節することが可能になる。上記断面が上記自由端に近づくにつれて減少する場合、上記溝内の物質の積載量も同様に減少する。このことは、一般的により細やかな化粧剤の塗布はアプリケータの自由端を用いて行われるという事情から、使用者の好みに合致している。
【００２６】
溝は１本のみであってもよく、逆に、上記コアに多数の溝が形成されていてもよい。
【００２７】
上記部分の横断寸法は、上記アプリケータの自由端に向かって上記部分に沿って進むにつれて減少することが好ましい。
【００２８】
このような減少により、上記アプリケータの自由端領域によって化粧剤をより細やかに塗布することが可能となる。
【００２９】
上記部分の横断寸法は、上記アプリケータの自由端に向かって上記部分に沿って進む際に、極値、特に最大値を通過することが好ましい。
【００３０】
このような配置により、上記極値の両側における物質の積載量の対称分布が促進され、一部の使用者はこのことがより適切であると感じる。
【００３１】
上記コア及び／又は上記部分は、円錐形状又は円錐台形状に形成されていることが好ましい。
【００３２】
また、上記アプリケータにおいて、上記コアが上記アプリケータの横断寸法の半分より大きい範囲、又はさらに言うと４分の３より大きい範囲を占める領域であって、より好ましくは基端領域が少なくとも１つあることが好ましい。
【００３３】
また、上記コアが上記アプリケータの横断寸法の半分未満、又はさらに言うと４分の１未満しか占めない領域であって、より好ましくは末端領域が少なくとも１つあることが好ましい。
【００３４】
このような寸法特性は、貯留器から引き上げる際にアプリケータについた物質の積載量の配分に影響を与えることとなる。これらの特徴は、互いに組み合わされるとき、上記アプリケータの種々の部分における積載量のレベルに関して多数の際立った差異が得られる。
【００３５】
上記アプリケータは、上記コアを支持する軸部を有し、上記コアは上記軸部の横断寸法よりも大きい横断寸法を有していることが好ましい。
【００３６】
また、上記アプリケータは、複数の突起が可能な限り備え付けられたインレットのコーンを有していることが好ましい。
【００３７】
さらに、上記コアは、可撓性を有していることが好ましい。
【００３８】
上記可撓性は、使用者に安心感を与える。上記コアをより柔軟にすることにより、上記アプリケータによって目を傷付けてしまう危険性を軽減する。
【００３９】
また、上記アプリケータは、上記溝の内部に設けられた複数の突起を有していることが好ましい。
【００４０】
さらに、上記アプリケータは、上記溝の内部に設けられた複数の突起と、上記溝の外部に設けられた複数の突起とを備えていることが好ましい。
【００４１】
上記アプリケータが、上記コアの軸方向に平行な少なくとも１つの直線形状の列を形成する複数の突起を備えていてもよい。
【００４２】
そのような列により、上記アプリケータによる睫毛の梳き能力（コーミング能力）を増大させる。
【００４３】
また、上記アプリケータが、上記コアの軸方向に平行な少なくとも１つの直線形状の列、及び／又は１つの螺旋形状の列を形成する複数の突起を備えていてもよい。
【００４４】
そのような列は、睫毛を分離することを容易にする。特に、使用者が物質を塗布する際に上記アプリケータを回転させて用いる場合に、睫毛の分離を容易にする。
【００４５】
上記アプリケータは、上記複数の突起の自由端間において計測された上記アプリケータの少なくとも１つの横断寸法が、上記コアの軸方向に関して上記アプリケータの少なくとも一部分に沿って一定となるように配列された複数の突起を備えていることが好ましい。
【００４６】
その結果、たとえ上記コアの断面積が上記アプリケータに沿って変化する、例えば自由端に向かって減少するとしても、上記アプリケータの外形寸法若しくは全体の寸法は一定のままとなる。また、必要に応じて、上記コアの寸法における変動は、上記複数の突起の長さにおける正反対の変化によって相殺される。上記梳き機能（コーミング機能）及び分離機能は、上記突起が最も長い箇所において一層高まる。
【００４７】
上記複数の突起の端部は、上記コアの縦軸まわりの回転面を構成する包絡面を形成することが好ましい。この面は、例えば、円筒形状に形成されていてもよく、ディアボロ形状に形成されていてもよい。
【００４８】
また、上記アプリケータは、上記複数の突起の自由端間において計測された上記アプリケータの少なくとも１つの横断寸法が、上記アプリケータの自由端に向かって該アプリケータの少なくとも１つの小部分に沿って進むにつれて増大するように配列された複数の突起を有していることが好ましい。
【００４９】
このような配列によっても、上記分離機能及び延長機能が高められる。
【００５０】
上記アプリケータは、単一部品に形成されたアプリケータヘッドを有していることが好ましい。
【００５１】
上記発明は、睫毛及び／又は眉毛に物質を塗布するための組立品も提供する。該組立品は、物質の貯留器と、上記発明に係るアプリケータとを備えている。
【００５２】
本発明の他の特徴及び効果については、非限定的な例示として与えられる種々の実施形態の下記の説明にさらに表されている。
【図面の簡単な説明】
【００５３】
【図１Ａ】図１Ａは、本発明の第１の実施形態の化粧用組立品の一部を切り欠いて示す斜視図である。
【図１Ｂ】図１Ｂは、図１の組立品のアプリケータのアプリケータヘッドの正面図である。
【図１Ｃ】図１Ｃは、図１の組立品のアプリケータのアプリケータヘッドの斜視図である。
【図１Ｄ】図１Ｄは、図１Ｃの詳細を示す拡大図である。
【図１Ｅ】図１Ｅは、図１の組立品のアプリケータのアプリケータヘッドの端面図である。
【図１Ｆ】図１Ｆは、図１の組立品のアプリケータのアプリケータヘッドの変形例を示す斜視図である。
【図１Ｇ】図１Ｇは、図１の組立品のアプリケータのアプリケータヘッドの軸方向断面図である。
【図２Ａ】図２Ａは、第２の実施形態のアプリケータを示す図１Ｂに類似する図である。
【図２Ｂ】図２Ｂは、図２Ａのアプリケータを突起のない状態で示す図である。
【図２Ｃ】図２Ｃは、第２の実施形態のアプリケータを示す図１Ｅに類似する図である。
【図３Ａ】図３Ａは、本発明の第３の実施形態のアプリケータを示す図２Ａに類似する図である。
【図３Ｂ】図３Ｂは、本発明の第３の実施形態のアプリケータを示す図２Ｂに類似する図である。
【図３Ｃ】図３Ｃは、本発明の第３の実施形態のアプリケータを示す図２Ｃに類似する図である。
【図４】図４は、第４の実施形態を示す図２Ｂに類似した図である。
【図５】図５は、第５の実施形態を示す図２Ｂに類似した図である。
【図６】図６は、第６の実施形態を示す図２Ｂに類似した図である。
【図７】図７は、第７の実施形態を示す図２Ｂに類似した図である。
【図８Ａ】図８Ａは、第８の実施形態を示す図１Ｂに類似した図である。
【図８Ｂ】図８Ｂは、第８の実施形態を示す図１Ｅに類似した図である。
【図９Ａ】図９Ａは、第９の実施形態を示す図１Ｂに類似した図である。
【図９Ｂ】図９Ｂは、第９の実施形態を示す図１Ｅに類似した図である。
【図１０Ａ】図１０Ａは、第１０の実施形態を示す図１Ｃに類似した図である。
【図１０Ｂ】図１０Ｂは、第１０の実施形態を示す図１Ｅに類似した図である。
【図１１Ａ】図１１Ａは、第１の参照形態を示す図１Ｂに類似した図である。
【図１１Ｂ】図１１Ｂは、第１の参照形態を示す図１Ｅに類似した図である。
【図１２】図１２は、第２の参照形態を示す図１Ｂに類似した図である。
【図１３】図１３は、第３の参照形態を示す図１Ｂに類似した図である。
【発明を実施するための形態】
【００５４】
図１Ａ乃至１Ｇに関して、睫毛に化粧剤を塗布するための化粧用組立品の第１の実施形態について以下に述べる。
【００５５】
上記組立品２は、塗布される物質６が収容された貯留器４を備えている。例えば、上記物質は、マスカラであってもよい。上記貯留器は、ワイパ１０を有する首部８によって輪郭が形成される開口を有する上端部を有している。上記組立品は、アプリケータ１２を備えている。該アプリケータ１２は、軸部１６の基端部に固定されたハンドル部材１４を有している。上記軸部１６は、末端部においてアプリケータヘッド１１８を支持している。
【００５６】
上記首部８の外面には、ネジ２０が形成されている。該ネジ２０は、上記ハンドル部材１４の内面に補完的な態様で形成されたネジと、ボルト−アンド−ナット係合に関する協働に適している。上記アプリケータは、このように上記貯留器を閉塞するために該貯留器にネジ止めすることができる。上記アプリケータヘッド１１８は、上記アプリケータが上記貯留器上の閉塞位置にある際に、マスカラ６内に浸漬されている。上記アプリケータ部材を取り出す際に、上記軸部１６及びアプリケータヘッド１１８は、それらから過剰な物質を除去するためにワイパ１０によって拭き取られる。
【００５７】
上記貯留器４は、通常、軸２４を中心とする回転体を構成する。上記アプリケータ部材１２にも同様のことが適用される。本実施例では、上記軸２４は、上記アプリケータの軸方向に相当する。
【００５８】
以下に、上記アプリケータのアプリケータヘッド１１８について詳述する。上記アプリケータヘッド１１８は、上記軸部１６の末端部に、例えば該末端部に嵌め込まれることによって、しっかりと固定するための端部２１を備えている。上記端部は、上記アプリケータの自由端２２に向かって拡径する円錐台形状の「コーン」と称される部分１２４により、上記アプリケータの自由端２２に向かって延びている。上記コーン１２４の最も断面積の大きい部分から上記アプリケータヘッド１１８のコア１２６が延びている。上記端部２１、上記コーン１２４及び上記コア１２６は、上記アプリケータヘッドの本体を形成している。
【００５９】
上記コア１２６は、本実施形態における上記コアの全長の７分の１〜６分の１の範囲内の長さに及ぶ自由端部１３０を呈している。具体的には、上記自由端部１３０は、上記軸２４の直交面において計測され、上記自由端部に沿って軸方向に進むにつれて一様な大きさの横断寸法Ｄｅを呈している。本実施形態では、上記自由端部１３０は、上記軸２４を軸とする円筒形状に形成されている。
【００６０】
本実施形態では、上記コア１２６の残りの部分は、自由端部１３０の基端部から上記コーン１２４の最も大きい末端部まで延びる主要部１３２によって形成されている。上記主要部１３２は、上記軸２４の直交面において計測され、上記主要部に沿って一端から他端に向かって変化する横断寸法Ｄａを呈している。後述するように、上記コアは、溝も呈している。上記横断寸法Ｄａは、上記コアの表面であって上記溝の外部において計測される。本実施例では、横断寸法Ｄａは、上記主要部１３２に沿って上記自由端２２に向かって進むにつれて、即ち、上記コーン１２４から上記自由端部１３０に向かって減少する。また、本実施形態において、上記主要部１３２は、該主要部の最も大きい断面部分が上記コーン１２４に連続する部分となる円錐台形状に形成されている。
【００６１】
上記主要部１３２の基端部におけるコアの横断寸法Ｄａ（本実施例では、上記コーン１２４の直径）は、上記軸部１６及び上記端部２１の直径よりも大きいことがわかる。
【００６２】
具体的には、上記コア１２６は、軸２４に対して螺旋形状の溝１３４を呈している。本実施形態では、溝１３４は１本だけ設けられている。上記溝は、主要部１３２の全長に沿って基端部から末端部まで延びている。
【００６３】
本実施例では、上記溝１３４は、Ｖ字形状の断面形状を呈している。このＶ字形状は、上記軸２４を含む子午面における上記コアの断面に見られる。上記用語「子午」面は、図１Ｃに示すＰＭ面や図１Ｇの断面のように軸２４に平行な放射状に配置された平面を示すものとして用いられている。上記形状は、上記溝の長手方向に直交する平面ＰＰ上における該溝の断面に見られる。このような平面ＰＰは、同じ箇所を通過する子午面に対して傾斜している。上記平面ＰＰのトレースは、図１Ｂの平面に示されている。具体的には、上記Ｖ字形状の断面は、非対称形状である。上記溝１３４は、図１Ｂ乃至１Ｄにおいて上向きで且つ上記コーン１２４に近い側面である基端側面１３６と、上記基端側面に対向する下向きの末端側面１３８とを呈し、上記基端側面１３６は、局所的に上記末端側面１３８よりも大きい面積を呈するように見える。一方、上記基端側面１３６は、上記末端側面１３８よりも軸２４に対する傾斜角度が小さくなっている。
【００６４】
上記溝１３４は、横断面の最大寸法が上記軸２４の方向に主要部１３２に沿って移動するにつれて変化するように形成されている。より正確には、上記断面は、上記主要部の基端部から末端部まで上記アプリケータの自由端２２へ向かって進むにつれて縮小する。この観測結果は、上記断面が、上述の子午面ＰＭ内にあるのか又は上記溝の長手方向に局所的に直交する平面ＰＰ上にあるのかに拘わらず該当する。
【００６５】
本実施例において、上記溝１３６は、上記溝の部分間の上記コア１２６に、上記溝と係合しない少なくとも１つの領域１４０を残している。本実施例では、上記溝は、上記軸２４まわりに１回転より長く、さらには２回転より長く、３回転程度延びている。このように、溝と無縁な上記領域１４０は、同様に螺旋形状を呈している。上記コアは、このように貫通口を１つも有していないため、コアの材料は切れ目を少しも呈さない。上記溝は、上記軸まわりに少数回転、例えば１０回転未満若しくは１０回転、又は場合によっては１２回転延びていることが好ましい。
【００６６】
本実施例では、上記アプリケータは、複数の突起５０を有している。具体的には、上記複数の突起は、同時に成形される上記コア１２６と一体的に形成されている。アプリケータヘッド１１８の全体が単一部品として形成されている。本実施例において、上記複数の突起５０の全てが直線形状をなし、軸２４に対して放射状の配置を呈している。特に、それらは全て、軸２４と直交する複数の平面内において延びている。
【００６７】
上記複数の突起５０のうちのいくつかは、上記溝の外部に位置する上記コアの領域１４０に固定されている。一方、上記複数の突起のうちのその他のものは、上記基端側面１３６又は上記末端側面１３８のいずれかを介して上記コアの溝１３４の内部に固定されている。図１Ｅの端面図に詳細に示されているように、上記複数の突起は、上記軸２４に平行な複数の直線形状の列を形成するように配置されている。具体的には、１２本の列を形成するように配置されている。さらに、図１Ｂに詳細に示されているように、同じ複数の突起が、上記軸２４まわりに複数の螺旋形状の列を形成している。
【００６８】
図１Ｅに概略的に示されるように、上記複数の突起５０は、共同して包絡面１５４を形成する自由端５２を呈している。上記包絡面は、末端領域を除いた上記主要部１３２の主要な部分の周囲に、断面円形の上記軸２４まわりの円筒面形状に形成されている。上記末端領域、及び自由端領域１３０の両方において、上記包絡面１５４は上記軸２４周りに円錐台形状に形成されている。
【００６９】
このように、上記突起の自由端５２間において計測された上記アプリケータヘッドの総横断寸法Ｔは、上記アプリケータヘッド１１８の主要部の全体に亘って、上記コアの基端部から上記主要部１３２の末端部の少し手前まで上記アプリケータヘッドに沿って一定であることがわかる。この横断寸法は、上記包絡面１５４の直径に相当する。また、この同じ横断寸法Ｔは、上記自由端２２に向かって小さくなる。このように、上記アプリケータの端部に設けられた小径の部分は、短い睫毛、特に目尻に位置する睫毛を化粧することにより適している。
【００７０】
上述のように、上記アプリケータの主要部の全体に亘って、比較的短い突起、特に上記領域１４０に位置する突起は、比較的長い突起、即ち上記溝１３４に配された突起と並行している。
【００７１】
上記コアの基端領域では、その横断寸法Ｄａは、上記突起の自由端から自由端までを計測した上記アプリケータの横断寸法Ｔの半分よりも大きい範囲、さらに言うと４分の３よりも大きい範囲を占める程に大きい。逆に、末端領域及び、本実施例において上記アプリケータヘッドの軸方向長さの約半分に亘る部分では、上記コアの横断寸法Ｄａは、上記アプリケータの横断寸法Ｔの半分未満若しくは４分の１未満しか占めないようなものである。
【００７２】
上記コア１２６は、可撓性を有する材料で構成されていてもよい。上記コアの直径がその自由端に向かう程小さくなることとすると、上記可撓性は、上記コアの自由端に近づくにつれて増大する。この可撓性は、上記アプリケータによって目を負傷する危険性を軽減するため、使用者に安心感を与える。同時に、上記アプリケータは比較的堅いままであるため、化粧剤を確実に塗布することが可能となる。
【００７３】
図１Ｆの変形例では、上記アプリケータヘッド１１８は、図１Ｂに示すアプリケータヘッドに上記コーン１２４に突起が設けられていないことに反して、コーン１２４に突起５０が形成されている点を除いて、上述の実施例と同様である。
【００７４】
上記略円錐台形状のコアは、上記コアに沿って異なる分量の化粧剤の備蓄を可能にする。例えば、上記コアの直径が比較的大きいところでは、化粧剤の備蓄は寧ろ少なくなる。そのため、睫毛用のアプリケータの平滑効果（スムージング効果）と延長効果が増大する。上記コアの直径の比較的小さいところでは、上記アプリケータはより多量の化粧剤をすくい上げる。このような領域によって、睫毛にボリュームを与えることができる。その結果、上記アプリケータを動かせることにより、睫毛に化粧剤を塗布する効果又は睫毛を梳く効果（コーミング効果）を促進することができる。
【００７５】
上記溝自体は、上記複数の突起の包絡面から少し離れたところであって睫毛から少し離れたところに、少量の化粧剤の蓄えを形成する。
【００７６】
上記略円形状は、化粧剤を塗布する際に、上記アプリケータを軸まわりに回転させることに役立つ。
【００７７】
上記複数の突起が互いに長さが異なるように構成することで、複数の突起は、均等に拭き取られない。即ち、上記複数の突起の非拭き取り長さが、突起ごとに変化する。上記複数の突起は、長さに応じて多かれ少なかれ可撓性を有し、上記アプリケータが上記ワイパを通過する際に該ワイパを大なり小なり押し返す。そのため、上記複数の突起の拭き取り長さは、このように用いられるワイパの種類に応じて調整され得る。
【００７８】
本発明に係るアプリケータの他の実施形態について以下に説明する。第１の実施形態と同様に有する特徴については、再度説明しない。また、いくつかの参照番号は、その都度１００ずつ加算する。
【００７９】
図２Ａ乃至図２Ｃに示す第２の実施形態のアプリケータヘッド２１８では、コア２２６に複数の溝２３４が形成されている。さらに、上記複数（本実施形態では、４つ）の溝は、直線形状で、且つ上記軸２４に平行に形成されている。
【００８０】
上記第１の実施形態のように、上記複数の突起５０は、上記軸２４に平行な直線形状の列となるように延びると共に、上記軸まわりの螺旋形状の列となるように延びている。上記直線形状の列は、上記複数の溝２３４の底部と上記複数の溝の間に形成される領域２４０の頂部とに交互に配置されていてもよい。図２Ｃに示すように、本実施例では、多数の直線形状の列が第１の実施形態のものと変化しないにも拘わらず、上記複数の列のうちのいくつかは、１つの溝の上記側面のうちのいずれかから延びている。本実施例では、上記複数の溝は、円弧形状の底部を有するＵ字状の横断面形状を呈している。
【００８１】
上記複数の突起の自由端間において計測された上記アプリケータの外形寸法若しくは全体寸法が上記アプリケータの全長の主要部に亘って一定であるのに対して、上記コアの横断寸法が、上記複数の溝幅と同様に、上記自由端２２に向かって減少するということが上述同様に維持されるべきである。上記複数の突起の自由端は、上記コアの縦軸まわりの回転面を構成する包絡面を形成している。
【００８２】
第３の実施形態の図３Ａ乃至図３Ｃに示す上記アプリケータヘッド３１８では、上記実施形態との唯一の変更点が上記複数の溝３３４にある。本実施形態では、同様に４本の溝が設けられているが、該溝は直線形状ではなく、螺旋形状に戻っている。とは言うものの、各溝は、上記縦軸まわりに１回転に満たない範囲で延びている。本実施例では、図３Ｂに示すように、各溝は４分の１回転に亘って延びて、上記コア３２６に捻れ効果を与える。また、上記複数の突起は、上述同様に配置されている。
【００８３】
図４に示す第４の実施形態では、アプリケータヘッド４１８のコア４２６は、より多数の溝４３４を呈し、その数は、本実施例では１２本にのぼる。また、上記複数の螺旋形状の溝は、またしても上記軸まわりに１回転のうちの僅かな範囲だけ延びている。本実施形態において、さらには図５乃至図７の実施形態において、上記複数の突起は示されていないが、上述同様に配置されている。具体的には、上記複数の突起の自由端は、上記コアの縦軸まわりの回転面の形状をした包絡面を形成している。
【００８４】
図５に示す第５の実施形態のアプリケータヘッド５１８では、複数の溝５３４が、上記コア５２６上に、軸２４を含む多数の子午面に連続的に交差する領域５４０を形成している。言い換えると、この領域は、上記アプリケータヘッド５１８の４分の１に亘って延びている。要するに、本実施形態は、図４に示す上記実施形態から一連の複数の溝を除いたということになる。例えば、上記複数の溝のうちの半数のみを残すこととしてもよい。
【００８５】
図６に示すような第６の実施形態のアプリケータヘッド６１８は、コア６２６の複数の溝６３４が螺旋形状でなく直線形状であることのみにおいて、図４のアプリケータヘッドと異なる。
【００８６】
図７に示すような第７の実施形態のアプリケータヘッド７１８では、図６の複数の直線形状の溝７３４のほんの一部（例えば４分の１）が、いずれの溝とも係合しない領域であってコア７２６の基端部から末端部へ延びる軸２４を含む多数の子午面に連続的に交差する領域７４０が確保されるように、残されている。
【００８７】
図８Ａ及び図８Ｂに示す第８の実施形態のアプリケータヘッド８１８では、コア８２６が再び円錐台形状に形成されている。上述同様に、上記コア８２６は、本実施例では軸２４に平行な８本の直線形状の列をなすように且つ上記軸まわりに等間隔に配置された複数の突起５０を有している。本実施例において直線形状である上記複数の溝は、図面を理解しやすくするために示されていない。本実施形態は、上記複数の突起５０の自由端５２間で計測された横断寸法Ｔａが、コア８２６の基端部から上記アプリケータの末端部に向かって軸２４に沿って進む際に一様でなく変化する点において上記実施形態と特に異なる。このように、本実施例では、上記寸法は、初め、上記コアの基端側の約半分において減少し、その後、４分割した３番目の部分に沿って最大値に至るまで増加する。そして、最後に、残りの４番目の部分において、上記寸法は自由端２２において最小値となるように減少する。長さにおけるこのような変化は、上記寸法の計測に用いられる列に関係なく同様である。これにより、包絡面８５４に、睫毛の小部分又は大部分への化粧剤の塗布を促進する凸凹の領域が形成される。また、上記主要部を形成するコアの４分の３の部分において、上記複数の突起による包絡面は、回転面を構成すると共に、略ディアボロ形状をなしている。
【００８８】
図９Ａ及び図９Ｂに示す第９の実施形態のアプリケータヘッド９１８では、第８の実施形態のために上述したような上記アプリケータの全横断寸法Ｔａにおける同様の変化が見出される。とは言うものの、第８の実施形態とは異なり、複数の突起５０による複数の列は直線形状でなく、その配列は螺旋形状の列、具体的には図示されない複数の螺旋形状の溝によってコア９２６に形成されたねじれに従う螺旋形状の列を描く。また、上記複数の突起の自由端は、引き続き上記コアの縦軸まわりの回転面である包絡面を形成している。
【００８９】
図１０Ａ及び図１０Ｂに示す第１０の実施形態のアプリケータヘッド１０１８では、コア１０２６の横断寸法Ｄａは、上記コアに沿ってその基端部から末端部まで進む際に、極値（本実施形態では、最大値）を通過する。本実施例では、この極値は、両端部の中間に位置し、環状の（しかしながら、上記複数の溝１０３４によって遮断される）隆起部１０６０を形成している。このように、上記コアの上記隆起部の前側及び後側に、自由端に向かって拡径した断面を有する円錐台形状の根元側部分と、これに連続して逆方向に変化する（即ち、先細る）断面を有する同様の円錐台形状の末端側部分とがそれぞれ見られる。
【００９０】
本実施形態では、コアに３つの溝１０３４が形成され、これら３つの全てが直線形状で軸２４に平行に形成されている。各溝は平底を有するＵ字形状の断面を呈している。上記３つの溝は、軸２４を含む平面でコアを切り取ることによって形成された同じ片側に形成されている。他の片側は、上記溝と無縁な領域１０４０を形成している。
【００９１】
上記複数の突起５０は、上記軸に平行な直線形状の列状に配置されている。上記複数の突起の自由端５２によって形成される包絡面は、図１Ｂに示すものと同様の形状を呈し、上記コアの縦軸まわりの回転面を形成している。上記複数の溝の底部と軸２４との距離は各溝の全長に沿って一定であり、そのために上記複数の溝は、隆起部１０６０付近でより深くなる。
【００９２】
図１１Ａ及び図１１Ｂに示す第１の参照形態では、複数の溝１１３４は、軸２４に直交する平面に各々配列されている。さらに、コア１１２６は、軸２４に直交する平面内において先細の台形状の断面を有している。上記複数の突起の配列は、全ての突起が複数の溝の外部から突出している点を除いて、図１Ｂと同様である。自由領域１１４０は、アプリケータヘッド１１１８の半分の範囲にわたっている。上記複数の突起の自由端は、上記コアの縦軸まわりの回転面である包絡面を形成している。
【００９３】
図１２に示す第２の参照形態では、上記複数の溝１２３４は、再び上記軸２４に直交する複数の平面に配置されて、環状に形成され、コアが複数のボールを山積みしたような形状となるように配置されている。上記端部２１に連続するように、図１Ｂの実施形態のコーン１２４に取って代わる最大直径のボールを含めて６つのボールが見られる。５つの以下に続くより小さなボールは、全て互いに略同じ直径を有している。アプリケータヘッド１２１８の複数の突起５０の構成は、第１の実施形態と同様である。
【００９４】
図１３に示す第３の参照形態のアプリケータヘッド１３１８では、コア１３２６を形成する複数のボールが総計１１あり、それらは複数の溝１３３４によって同様に切り離されている。端部に近い７つのボールは、それらの軸２４に沿った長さが該軸に直交する直径Ｄａよりも小さくなるように、上記軸２４に沿って扁平な形状又は牛乳瓶の底のような形状に形成されている。これに反して、上記自由端から３番目のボールは、その軸方向長さがその直径Ｄａよりも大きくなるように、上記軸に沿って細長く形成されている。その他の３つのボールは、球形である。全ボールの各直径Ｄａ（軸に直交）は、同様に互いに異なっている。上記複数のボールの直径Ｄａは、上記端部から自由端まで進むにつれて減少するように見える。
【００９５】
上記最後の２つの参照形態では、コアの横断寸法Ｄａが、上記軸２４に沿って基端部から末端部まで進む際に変化するように構成されている。環状の溝の総数は、１０又は１２より少ない若しくは同数であることが好ましい。また、複数の突起の自由端は、同様に上記コアの縦軸まわりの回転面を構成する包絡面を形成する。
【００９６】
本発明に係るアプリケータは、特に、睫毛若しくは眉毛に沿って上記アプリケータを通過させることによって睫毛及び眉毛に化粧を施すことを可能にする。この動作は、アプリケータをその軸２４まわりに回転させる動作と共に行われてもよい。
【００９７】
上記アプリケータヘッドは、ＳＥＢＳ（エチレン、ブチレン及びスチレンのブロック共重合体を有する）系のフッ素系熱可塑性エラストマ（ＴＰＥ−Ｆ）や、エチレン−プロピレン−ジエンゴム（ＥＰＤＭ）系の加硫処理されたオレフィン系（ＴＰＥ−Ｏ）熱可塑性エラストマ、又はウレタン系熱可塑性エラストマのような材料を射出成形することによって形成されていてもよい。また、上記アプリケータヘッドは、ポリプロピレン、ポリアミドによって形成されていてもよく、又はエラストマによって形成されていてもよい。上記コアは、中身が詰まった断面を有するように、即ち、いかなる内部空洞もなしに形成されていることが好ましい。また、例えば、２つの材料の二元的な射出により、２つの材料からアプリケータを形成することを選択することも可能である。さらに、コアの材料として、ショア硬度計において５０〜１００の範囲、より好ましくは６５〜８５の範囲（例えば、ショア硬度計において略７５）の硬度を呈する材料を選択することが可能である。
【００９８】
いくつかの実施形態において、上記複数の突起が、上記コアと一体形成されずに該コアに取り付けられていてもよい。上記複数の突起を、例えばフロック加工によって固定された天然繊維又は合成繊維に置き換えてもよい。
【００９９】
上記アプリケータは、その軸２４が湾曲するように全体的に湾曲形状を呈していてもよい。
【０１００】
本発明の範囲を超えずに本発明に多数の変更を加えることは、勿論可能である。
【０１０１】
上記アプリケータは、
・１以上の螺旋形状の溝を備えた部分と、
・１以上の軸方向に延びる溝及び／又は１以上の環状の溝を備えた他の部分と
を備えた主要部を有しているものであってもよい。
【図１Ａ】
0005442605.tif 000002
【図１Ｂ】
0005442605.tif 000003
【図１Ｃ】
0005442605.tif 000004
【図１Ｄ】
0005442605.tif 000005
【図１Ｅ】
0005442605.tif 000006
【図１Ｆ】
0005442605.tif 000007
【図１Ｇ】
0005442605.tif 000008
【図２Ａ】
0005442605.tif 000009
【図２Ｂ】
0005442605.tif 000010
【図２Ｃ】
0005442605.tif 000011
【図３Ａ】
0005442605.tif 000012
【図３Ｂ】
0005442605.tif 000013
【図３Ｃ】
0005442605.tif 000014
【図４】
0005442605.tif 000015
【図５】
0005442605.tif 000016
【図６】
0005442605.tif 000017
【図７】
0005442605.tif 000018
【図８Ａ】
0005442605.tif 000019
【図８Ｂ】
0005442605.tif 000020
【図９Ａ】
0005442605.tif 000021
【図９Ｂ】
0005442605.tif 000022
【図１０Ａ】
0005442605.tif 000023
【図１０Ｂ】
0005442605.tif 000024
【図１１Ａ】
0005442605.tif 000025
【図１１Ｂ】
0005442605.tif 000026
【図１２】
0005442605.tif 000027
【図１３】
0005442605.tif 000028